(57)【要約】【課題】  体幹の関節及び筋肉群における全体のバランスを考慮し、これらを総合的に機能し合う上半身衣類を提供すること。【解決手段】  インナーシャツ１は、本体部１０と帯状の緊締部２０とから構成されている。緊締部２０は、肩鎖関節５０から反対側の脇下まで延在する第１緊締部２１と、脇部から体幹前中心部まで延在する第２緊締部２２と、脇部から反対側の後裾まで延在する第３緊締部２３と、第５〜第７頚椎延在する第４緊締部２４と、第７頚椎水平延長線から肩甲骨５１下方まで延在する第５緊締部２５と、肩甲骨５１上角外側縁から脇下、上腕内側及び肘内側を経由し袖口まで延在する第６緊締部２６と、一端が第６緊締部と連結し、他端が袖口まで延在する第７緊締部２７と、肩甲骨上角５８から背部中央付近で交差し反対側の胸郭部外側の第７〜第９肋骨まで延在する第８緊締部２８とから構成される。【選択図】  図１
2006291399.tif 000002
【特許請求の範囲】
【請求項１】
着用者の人体にフィットするように構成された上半身部を有する衣類であって、
前記上半身部は、伸縮性を有する素材で形成された本体部と、前記本体部よりも高い緊締力を有する素材で帯状に形成された緊締部とから構成されており、
前記緊締部は、着用状態において、
左右の肩鎖関節から胸郭中央付近で交差し反対側の脇下まで延在する第１緊締部と、
左右の脇部から体幹前中心部まで延在する第２緊締部と、
左右の脇部から第４〜第５腰椎付近で交差し反対側の後裾まで延在する第３緊締部と、
を備えることを特徴とする上半身部を有する衣類。
【請求項２】
前記緊締部は、
第５頚椎から第７頚椎まで延在する第４緊締部と、
第７頚椎の水平ラインの延長線から肩甲骨外側斜め下方にかけて延在する第５緊締部と、
を備えることを特徴とする請求項１記載の上半身部を有する衣類。
【請求項３】
前記緊締部は、
肩甲骨上角外側縁から肩全域を被うように脇下まで伸び、上腕内側部を経由し、肘内側部で橈骨外側に向けて湾曲し、前腕を巻き付くように袖口まで延在する第６緊締部と、
一端が脇下から肘部にかけて前記第６緊締部と連結し、他端が前腕を巻き付くように肘外側から袖口まで延在する第７緊締部と、
をさらに備えることを特徴とする請求項１または２記載の上半身部を有する衣類。
【請求項４】
前記緊締部は、左右の肩甲骨上角付近から背部中央付近で交差し反対側の胸郭部外側の第７〜第９肋骨まで延在する第８緊締部を備えることを特徴とする請求項１〜３のいずれか記載の上半身部を有する衣類。
【請求項５】
前記第２緊締部と前記第３緊締部とが左右の脇部において連結されることを特徴する請求項１〜４のいずれか記載の上半身部を有する衣類。
【請求項６】
前記緊締部は、少なくとも長手方向に緊締力を有することを特徴とする前記請求項１〜５のいずれか記載の上半身部を有する衣類。
【発明の詳細な説明】
【技術分野】
【０００１】
本発明は上半身部を有する衣類に係り、特に着用者の上半身の動きをサポートする上半身部を有する衣類に関する。
【背景技術】
【０００２】
上半身部を有する衣類として、例えば下記の特許文献１〜特許文献３に開示されたものがある。これらの上半身部を有する衣類は、着用者の背中や、肩や、肘部や、腰まわり等に伸縮性の素材によって成形され、締め付け力を有する領域を設けることにより、着用者の上半身の運動をサポートする。
【特許文献１】特開２００４−２６３３６２号公報
【特許文献２】特開２００４−４４０７０号公報
【特許文献３】特表２００３−５３２８００号公報
【発明の開示】
【発明が解決しようとする課題】
【０００３】
しかし、上記の従来の衣類は、特定部位（肩部、肘部、腰部等）のサポートを集め合わせるものにすぎず、上半身、特に体幹の各関節及び筋肉群における全体のバランスを考慮し、これらを総合的に機能し合う点では欠けている。例えば、特許文献１は着用者の腰周りを包囲する領域を形成し、腰の安定性を図ることとしたが、腰の動きを固定してしまい、体幹の動きの自由度を低下させてしまうおそれが生じる。
【０００４】
本発明は、このような問題に鑑みてなされたものであり、体幹の関節及び筋肉群における全体のバランスを考慮し、これらを総合的に機能し合う上半身部を有する衣類を提供することを目的とする。
【課題を解決するための手段】
【０００５】
本発明に係る上半身部を有する衣類は、着用者の人体にフィットするように構成された上半身部を有する衣類であって、上半身部は、伸縮性を有する素材で形成された本体部と、本体部よりも高い緊締力を有する素材で帯状に形成された緊締部とから構成されており、緊締部は、着用状態において、左右の肩鎖関節から胸郭中央付近で交差し反対側の脇下まで延在する第１緊締部と、左右脇部から体幹前中心部まで延在する第２緊締部と、左右脇部から第４〜第５腰椎付近で交差し反対側の後裾まで延在する第３緊締部とを備えることを特徴とする。
【０００６】
本発明によれば、第１緊締部が左右の肩鎖関節から胸郭中央付近で交差し反対側の脇下まで延在するため、鎖骨及び大胸筋の上部が緊締部により固定され、胸郭を後方に引く力が生じる。このため、体幹姿勢のバランスを維持することができると共に、呼吸筋である大胸筋がサポートされ、呼吸機能を高める効果をもたらす。また、胸郭中央付近で左右の第１緊締部が交差することにより、胸郭前方に位置する胸鎖関節を安定させることができ、胸郭部の水平を整えることができる。
【０００７】
また、第２緊締部が左右脇部から体幹前中心部まで延在することにより、腹部筋肉がサポートされることとなる。このため、腰椎部にかかる体重を分散し、腰部にかかる負担を軽減することができると共に、腹部の呼吸筋の能力が高められ、呼吸しやすくなる効果が得られる。さらに、第３緊締部が左右脇部から第４〜第５腰椎付近で交差し反対側の後裾まで延在することにより、骨盤周辺の筋肉がサポートされ、腰部を安定させることができる。また、第４〜第５腰椎付近で左右の第２緊締部が交差することにより、腰椎を安定させることができ、腰椎を中心軸としての体の動きをサポートすることができる。このように、第１緊締部は胸郭部の位置を整え、第２緊締部は前側から腹部をサポートし、第３緊締部は後側から腰部を安定させることにより、体幹の関節及び筋肉群をバランスよく機能させることができ、呼吸機能を高めることができると共に、体幹姿勢のバランスをとりやすくなり、その動きをよりスムーズに実現することができる。
【０００８】
本発明に係る上半身部を有する衣類において、緊締部は、第５頚椎から第７頚椎まで延在する第４緊締部と、第７頚椎の水平ラインの延長線から肩甲骨外側斜め下方にかけて延在する第５緊締部とを備えることとしてもよい。このようにすれば、第４緊締部が第５頚椎から第７頚椎まで延在するため、頚部筋肉が適圧でサポートされ、頚椎の安定性を向上することができ、頭部を支える機能を高めることができる。また、第５緊締部が第７頚椎の水平ラインの延長線から肩甲骨外側斜め下方にかけて延在することで、僧帽筋がサポートされ、僧帽筋の働きを高めることができるため、頚椎の安定性及び頭部を支える機能がさらに強化される。
【０００９】
また、本発明に係る上半身部を有する衣類において、緊締部は、肩甲骨上角外側縁から肩全域を被うように脇下まで伸び、上腕内側部を経由し、肘内側部で橈骨外側に向けて湾曲し、前腕を巻き付くように袖口まで延在する第６緊締部と、一端が脇下から肘部にかけて第６緊締部と連結し、他端が前腕を巻き付くように肘外側から袖口まで延在する第７緊締部とをさらに備えることとしてもよい。このようにすれば、肩部の筋肉がサポートされることにより、肩関節及び肩鎖関節の安定性を向上することができる。また、肩甲骨を体幹に安定させるため、上腕骨関節窩に対し骨頭が安定し、過度な動きによるずれを抑制することができる。さらに、第６緊締部と第７緊締部との協働により、上腕及び前腕の筋肉及び筋肉がサポートされ、肘の損傷を招きやすい過度な動きを抑制する効果が得られる。
【００１０】
また、本発明に係る上半身部を有する衣類において、緊締部は、左右の肩甲骨上角付近から背部中央付近で交差し反対側の胸郭部外側の第７〜第９肋骨まで延在する第８緊締部を備えることとしてもよい。このようにすれば、肩甲骨の安定性がさらに強化され、腕の動きをスムーズにすることができる。また、背部中央付近で左右の第８緊締部が交差することにより、肩甲骨の位置を水平に整えることができ、腕の対称・非対称の動きに対し肩甲骨を制御しやすくなる。
【００１１】
また、本発明に係る上半身部を有する衣類において、第２緊締部と第３緊締部とが左右の脇部において連結されることとしてもよい。このようにすれば、体幹の周りから腹部及び腰部の筋肉群をサポートする効果を高めることと共に、体幹の姿勢をとりやすくなる効果をもたらす。
【００１２】
また、本発明に係る上半身部を有する衣類において、緊締部は、少なくとも長手方向に緊締力を有することが好適である。このようにすれば、当接される筋肉の収縮方向とかかる緊締力の方向とがほぼ一致し、着用者に拘束感や窮屈感を与えることなく、筋肉の動きをサポートし自然な着心地が得られる。
【発明の効果】
【００１３】
本発明によれば、体幹の関節及び筋肉群における全体のバランスを考慮し、これらを総合的に機能し合う上半身衣類を提供することができる。
【発明を実施するための最良の形態】
【００１４】
以下、本発明に係る実施形態を図面に基づき説明する。なお、本明細書において、上下、左右及び前後の方向は、着用者から見た方向である。また、図面の説明において同一又は同等の構成要素には、同一符号を用いることとし、重複する説明は省略する。
【００１５】
まず、実施形態の説明に先立ち、図４〜図６を参照し、本発明の機能を説明する際に主に用いる筋肉や骨格の配置について説明する。図４は人体前側から見た骨格の一部を示す部分骨格図である。図５は人体後側から見た骨格の一部を示す部分骨格図である。図６は人体後側から見た筋肉の一部を示す部分筋肉図である。図４及び図５に示すように、人体の体幹には、胸郭前中心に位置する胸骨５４、肩部に位置する肩甲骨５１、胸骨５４と肩甲骨５１とを連結する鎖骨５３、体幹の下部に位置する骨盤５６が配置されている。鎖骨５３と胸骨５４とが胸鎖関節５５を形成し、鎖骨５３と肩甲骨５１が肩鎖関節５０を形成し、肩甲骨５１と腕の上腕骨とが肩関節５７を形成する。また、図６に示すように、肩部には肩関節５７を被う三角筋７２が配置され、肩から頚部までの領域には頭板状筋７０と僧帽筋７１と頭半棘筋７３とが配置されている。なお、これらは代表的な筋肉や骨格を示したものであり、本発明においてサポートする筋肉や骨格を、これらに限定するものではない。
【００１６】
次に、図１〜図３を参照して本実施形態におけるインナーシャツ（上半身の動きをサポートする上半身部を有する衣類）について説明する。図１はインナーシャツを着用した状態を示す正面図である。図２はインナーシャツを着用した状態を示す背面図である。図３はインナーシャツを着用した状態を示す側面図である。
【００１７】
図示のように、インナーシャツ１は、身体に密着する立襟長袖のシャツ本体部１０と、本体部１０に対し所定位置で縫合された複数の帯状の緊締部２０とから構成されている。
【００１８】
本体部１０は、前見頃１２と、後見頃１４と、袖部１６と、襟部１８とを備え、前見頃１２と後見頃１４とは脇部の縫合ラインＬ１に沿って縫合され、前見頃１２、後見頃１４及び袖部１６は頚部から脇下までの前後縫合ラインＬ２とＬ３とに沿って縫合され、さらに前見頃１２、後見頃１４、袖部１６及び襟部１８は頚部の縫合ラインＬ４に沿って互いに縫合されて構成されている。緊締部２０は、本体部１０の肌側（着用時に肌に接する側）に縫合されている。
【００１９】
インナーシャツ１の本体部１０及び緊締部２０は、伸縮性を有する素材により構成されている。伸縮性を有する素材としては、例えば、パワーネット、サテンネット、トリコネット、ツーウェイトリコットまたはツーウェイラッセルがある。本体部１０および緊締部２０における素材について、具体例を挙げて説明すると、例えば、本体部１０にはツーウェイトリコット（５６dtexのポリエステル糸混率８２％、５５dtexのポリウレタン糸混率１８％）を使用し、緊締部２０には、パワーネット（５５dtexのナイロン糸混率８２％、３１０dtexのポリウレタン糸混率１８％）を使用する。これにより、緊締部２０は本体部１０より高い緊締力を有することができる。なお、緊締部２０の構成としては、本体部１０の所定部位にパワーネットを縫合することにより構成する。また、緊締部２０の緊締力方向がパワーネットの長手方向となるよう構成している。緊締部２０の幅は、縫合される部位や衣類のサイズによって異なるため、一概に数値で規定することは困難ではあるが、一般的には平均して３ｃｍ以上に形成することが好ましい。
【００２０】
緊締部２０は、左右の肩鎖関節５０から胸郭中央付近で交差し反対側の脇下まで延在する第１緊締部２１と、左右の脇部から体幹前中心部まで延在する第２緊締部２２と、左右の脇部から第４腰椎６０〜第５腰椎６１付近で交差し反対側の後裾まで延在する第３緊締部２３と、第５頚椎６２から第７頚椎６３まで延在する第４緊締部２４と、第７頚椎６３の水平ラインの延長線から肩甲骨５１外側斜め下方にかけて延在する第５緊締部２５と、肩甲骨５１上角外側縁から肩全域を被うように脇下まで伸び、上腕内側部を経由し、肘内側部で橈骨５２外側に向けて湾曲し、前腕を巻き付くように袖口まで延在する第６緊締部２６と、一端が脇下から肘部にかけて第６緊締部と連結し、他端が前腕を巻き付くように肘外側から袖口まで延在する第７緊締部２７と、左右の肩甲骨上角５８付近から背部中央付近で交差し反対側の胸郭部外側の第７肋骨６４〜第９肋骨６５付近まで延在する第８緊締部２８とから構成される。以下、各緊締部の特徴について説明する。
【００２１】
図１に示すように、第１緊締部２１は、左右の肩鎖関節５０から反対側の脇下に向けて、上方に略凸状のカーブしながら帯状に延在しており、胸郭中央付近で左右側の第１緊締部２１が交差することにより菱形のパワーゾーンＡを形成する。第１緊締部２１の幅が肩鎖関節５０側では３ｃｍ、パワーゾーンＡでは４ｃｍ、腋下では１０ｃｍの分布となっている。すなわち、第１緊締部２１は肩鎖関節３０から反対側の脇下に向けて幅が徐々に広くなるように配置されている。これにより、大胸筋（図示せず）の下側から上方に向けての１／３に相当する筋肉をサポートすることができる。着用の状態において、第１緊締部２１が鎖骨５３、胸骨５４及び第１〜第７肋骨を固定し、大胸筋をサポートすることにより、胸郭を後方に引く力が生じる。このため、体幹の正しい姿勢を維持することができると共に、胸郭部における呼吸筋である大胸筋の働きが強化され、呼吸機能を高める効果をもたらす。また、パワーゾーンＡの形成により、胸郭前方に位置する胸鎖関節５５を安定させることができ、胸骨５４を中心軸としての体の動きや両腕の動きが対称性や非対称性（例えば、右腕上方・左腕下方、右腕内旋・左腕外旋）であっても、胸郭部の水平を常に維持することができる。
【００２２】
インナーシャツ１の前見頃１２の下部には、第２緊締部２２が縫合されている。第２緊締部２２は、両脇部から体幹前中心部に向けて帯状に延在し、左右側の第２緊締部２２がインナーシャツ１の前裾中心部で合流し、Ｖ字状となっている。第２緊締部２２の全体の幅がほぼ一定の７ｃｍである。これにより、第２緊締部２２が、腰椎部にかかる体重を緩和するための腹直筋（図示せず）や腹斜筋（図示せず）等の腹部筋肉群をサポートし、腰椎部にかかる体重を分散し、腰部にかかる負担を軽減することができる。また、腹部の呼吸筋の能力が高められ、呼吸しやすくなる効果が得られる。さらに、第２緊締部２２はサポート部位にかかる緊締力の方向が体幹の前方にある腹部の中心に集まることにより、体幹の前方部に位置する腹斜筋の能力を高めることができ、体幹回旋の軸である脊椎に付着する脊椎回旋筋（図示せず）と協力し合い、体幹の後方への伸展や回旋の動きを起こしやすくなる。
【００２３】
ここで、インナーシャツ１の前見頃１２に縫合される第２緊締部２２と対応し、後見頃１４に、左右脇部から第４腰椎６０〜第５腰椎６１の付近で交差し反対側の後裾まで延在し、略Ｘ字状の第３緊締部２３がさらに縫合されることが好適である。このようにすれば、腰部を多方向からサポートすることができる。より具体的には、第３緊締部２３は脇部から腰椎を横断し逆側のインナーシャツ１の後裾まで帯状に延在しており、その一端が両脇部で第２緊締部２２と連結し、第２緊締部２２と同じ幅で縫合されており、他端がインナーシャツ１の後裾の中心よりやや外側（脇側）から、前見頃１２と後見頃１４との縫合ラインＬ１の下部かけて徐々に幅広になっている。また、第４腰椎６０〜第５腰椎６１付近では、左右の第３緊締部２３が交差することにより菱形のパワーゾーンＢを形成する。これにより、骨盤周辺の筋肉がサポートされ、腰部を安定させることができる。また、パワーゾーンＢの形成により、腰椎を安定させることができ、腰椎を中心軸としての体の動きをサポートすることができる。
【００２４】
また、第２緊締部２２と第３緊締部２３とが両脇部で連結することにより、体幹の周りから腹部及び腰部を包むように腹部及び腰部の筋肉群をサポートし、これらの筋肉を腰椎及び骨盤５６に適圧に固定させることができ、体幹の姿勢をとりやすくなる効果を高めることができる。このように、第２緊締部２２と第３緊締部２３との協働で、腰部へのストレスを緩和することができ、腰痛を予防することができる。
【００２５】
インナーシャツ１の襟部１８後部には、第５頚椎６２から第７頚椎６３までに延在し、横長い台形状をなす第４緊締部２４が襟部１８と同じ幅で縫合されている。この第４緊締部２４は、頚部の後方より頚椎や頭部を支える頭板状筋７０、頭半棘筋７３及び僧帽筋７１等の筋肉を適圧でサポートし、頚椎の安定性を高めることができる。また、第７頚椎６３の水平ラインの延長線から肩甲骨５１外側斜め下方にかけて、三角形の第５緊締部２５が設置されている。この三角形の第５緊締部２５の二斜辺がそれぞれ後見頃１４と襟部１８との縫合ラインＬ４と、後見頃１４と袖部１６との縫合ラインＬ３とに沿って後見頃１４に縫合されている。このため、肩から頚部まで延在する僧帽筋７１がサポートされ、僧帽筋７１の疲労を軽減することができ、僧帽筋７１の働きを高めることができる。このように、第４緊締部２４と第５緊締部２５との協働により、頚椎の安定性及び頭部を支える機能がさらに強化される
【００２６】
また、インナーシャツ１の袖部１６には、腕及び肩の筋肉と関節をサポートする第６緊締部２６が縫合されている。より具体的には、第６緊締部２６は、肩甲骨上角５８外側縁から肩全域を被うように脇下まで伸び、上腕内側部を経由し、肘内側部で橈骨５２外側に向けて湾曲し、前腕を巻き付くように袖口まで延在している。このため、肩関節の外側の三角筋７２等が効果的にサポートされるので、肩関節及び肩鎖関節の安定性を向上することができると共に、上腕骨関節窩に対し骨頭が安定し、上方へのずれを抑制することができる。また、肩関節５７及び肩鎖関節５０が多方面からサポートされるので、これらの関節の機能を補助することができる。また、袖部１６には、一端が脇下から肘部にかけて第６緊締部２６と連結し、他端が前腕を巻き付くように肘外側から袖口まで延在する第７緊締部２７がさらに縫合されることが好適である。このようにすれば、第６緊締部と第７緊締部２７との協働により、上腕及び前腕の筋肉及び筋肉がサポートされ、肘の損傷を招きやすい過度な動きを抑制する効果が得られる。また、外反肘に対してサポートすることでき、肘部をサポートすると共に、内側の手関節と指関節の筋肉の付着部である内側の腱と靭帯をサポートする効果が期待できる。
【００２７】
ここで、前見頃１２に縫合される第１緊締部２１と対応し、後見頃１４には第８緊締部２８が縫合されることが好適である。図２に示すように、第８緊締部２８は、左右の肩甲骨上角５８付近から背部中央付近で交差し反対側の脇部（胸郭部外側の第７肋骨６４〜第９肋骨６５付近）まで延在し、Ｘ字状になっている。左右の第８緊締部２８が背部中央付近で交差することにより菱形のパワーゾーンＣを形成する。第８緊締部２８は、肩甲骨５１では第６緊締部２６と連結しており、脇部では後見頃１４と前見頃１２との縫合ラインＬ１に沿って、第１緊締部２１と連結されている。このため、上肢と体幹とを一体化させることができ、肩甲骨５１の安定性がさらに強化され、腕の挙上や外転や上方回旋等の動きをよりスムーズにすることができる。また、パワーゾーンＣの形成により、胸椎を安定させ、肩甲骨５１の位置を水平に整えることができ、肩甲骨５１を腕の対称・非対称の動きに対する制御しやすくなる。
【００２８】
本実施形態によれば、肘部、肩部、胸部、背部、腹部及び腰部の筋肉群をサポートし、各関節を安定させることにより、これらの働きを総合的に機能しあることができ、体の呼吸機能を高めることができると共に、体幹姿勢のバランスをとりやすくなり、体の動きをよりスムーズに実現することができる。また、緊締部２０の緊締力方向がパワーネットの長手方向となるよう構成するため、当接される筋肉の収縮方向とかかる緊締力の方向とがほぼ一致し、着用者の筋肉の動きを追従することができ、着用者に拘束感や窮屈感を与えることなく、筋肉の動きをサポートし自然な着心地が得られる。
【００２９】
本発明は、上記実施形態に限定されるものではない。例えば、緊締部２０は本体部１０にパワーネットを縫合することにより構成されるが、これに限らない。すなわち、緊締部２０は本体部１０の所定部位に弾性樹脂フィルムを貼り合わせることにより構成されてもよい。または、緊締部２０はシリコンスクリーンプリントを本体部１０に塗布することにより構成されてもよい。または、緊締部２０は本体部１０の編み立てによるパワー切り替えにより構成されてもよい。ただし、人体との密着性及び衣類としての耐久性を考慮した場合、緊締部２０は本体部１０にパワーネットを縫合することがより好ましい。また、上記の実施形態では、上半身部を有する衣類の代表例として長袖立襟のインナーシャツについて説明したが、それ以外の上半身部を有する衣類にも適用できる。例えば、半袖丸首インナーシャツ、クロッチ付きの長袖シャツ等の上半身部を有する衣類にも適用可能である。
【図面の簡単な説明】
【００３０】
【図１】実施形態に係るインナーシャツを着用した状態を示す正面図である。
【図２】実施形態に係るインナーシャツを着用した状態を示す背面図である。
【図３】実施形態に係るインナーシャツを着用した状態を示す側面図である。
【図４】人体前側から見た骨格の一部を示す部分骨格図である。
【図５】人体後側から見た骨格の一部を示す部分骨格図である。
【図６】人体後側から見た筋肉の一部を示す部分筋肉図である。
【符号の説明】
【００３１】
１…インナーシャツ、１０…本体部、２０…緊締部、５０…肩鎖関節、５１…肩甲骨、５２…橈骨、５８…肩甲骨上角、６０…第４腰椎、６１…第５腰椎、６２…第５頚椎、６３…第７頚椎、６４…第７肋骨、６５…第９肋骨。
【図１】
2006291399.tif 000003
【図２】
2006291399.tif 000004
【図３】
2006291399.tif 000005
【図４】
2006291399.tif 000006
【図５】
2006291399.tif 000007
【図６】
2006291399.tif 000008